(57)【特許請求の範囲】
【請求項１】
ドラムモータとローディングモータとを備えたビデオテープレコーダに搭載されるビデオテープレコーダ用キャプスタンモータであって、
キャプスタン軸及びこのキャプスタン軸を立設して成るロータヨークを有するロータと、モータベース及び前記キャプスタン軸を回転自在に支持する軸受を有するステータとを備え、
前記モータベースは、回路基板と金属板とが重ね合わされて成り、
前記回路基板は、
このビデオテープレコーダ用キャプスタンモータに供給するキャプスタンモータ駆動電流を生成する第１の駆動回路と、前記ドラムモータに供給するドラムモータ駆動電流を生成する第２の駆動回路と、前記ローディングモータに供給するローディングモータ駆動電流を生成する第３の駆動回路とを有すると共に、前記ドラムモータ駆動電流及び前記ローディングモータ駆動電流をそれぞれ外部に供給する第１の出力端子及び第２の出力端子を有することを特徴とするビデオテープレコーダ用キャプスタンモータ。
【請求項２】
請求項１に記載されたビデオテープレコーダ用キャプスタンモータにおいて、
前記第１の駆動回路，前記第２の駆動回路，及び前記第３の駆動回路をまとめて集積化した集積回路を搭載したことを特徴とするビデオテープレコーダ用キャプスタンモータ。
【発明の詳細な説明】
【０００１】
【発明の属する技術分野】
本発明は、デッキ用のビデオテープレコーダ（以下ＶＴＲ）のキャプスタン用モータとドラム用モータとローディング用モータの各モータ駆動回路の配置に関するものである。
【０００２】
【従来の技術】
従来のデッキ用のＶＴＲに搭載されるモータの構成及びそのモータ駆動回路を図と共に示す。
図７には従来のキャプスタンモータ３の上面図、図８には図７の底面図をそれぞれ示す。
図７、及び図８において、１はロータヨーク、２はキャプスタン軸、７はロータ、８はコア、９はコイル、１０は駆動マグネット、１１はベアリングホルダ、１３はスラストキャップ、１６は金属板、１７Ａはキャプスタンプリント回路基板、２３はキャプスタンモータ駆動集積回路（放熱器の下側にあり、直接見えていない）、２５はプーリをそれぞれ示す。
【０００３】
図７、及び図８に示すように、コア８にはコイル９が巻回され、コア８の外周に近接して対向するロータヨーク１の内周面には、多極着磁した駆動マグネット１０が設けられている。
キャプスタン軸２はベアリングホルダ１１を貫通してその一端がロータヨーク１の回転中心に立設固定されている。
このキャプスタン軸２は、ベアリングホルダ１１の上下端にそれぞれ設けられている貫通口に嵌合固定してある一対の焼結含油軸受に回転自在に保持されている。
この状態でコイル９に駆動電流を印加すると、コイル９と駆動マグネット１０との磁気相互作用で駆動マグネット１０を固定しているロータ７が回転し、これにつれてキャプスタン軸２が回転する。
【０００４】
前記したキャプスタン軸２の下端側はローターヨーク１を貫通し、その下端はプーリ２５の回転中心に立設している。このプーリ２５の回転中心はロータヨーク１の回転中心に一致している。
このプーリ２５はＶＴＲのテープリール駆動用ベルトを装着するために設けてある。
【０００５】
キャプスタン軸２は通常再生時、定格回転数は１８０ｒ／ｍｉｎ（３ｒ／ｓｅｃ）で回転しているが、高速サーチ時では通常再生時の７倍速である１２６０ｒ／ｍｉｎ（２１ｒ／ｓｅｃ）の回転数で回転する。
更に、早送り（ＦＦ）／巻き戻し（ＲＥＷ）時には、テープリールを高速回転するため４０００ｒ／ｍｉｎ（６６．７ｒ／ｓｅｃ）の回転数で正転・逆転を行う。
【０００６】
図６は従来のビデオテープレコーダ用キャプスタンモータが搭載された回路基板、ＶＴＲデッキ用信号回路基板、及び各モータ間の接続関係を示したブロック回路図である。
図６に示されるように、ＶＴＲには一般にキャプスタンモータ３、ドラムモータ４、ローディングモータ５の３種類が使用されている。
ＶＴＲにおける各モータの機能として、キャプスタンモータ３は磁気テープを定速駆動し、ドラムモータ４は回転磁気ヘッドを定速回転駆動させ、更にローディングモータ５はテープカセットをビデオデッキから出し入れしセットする働きをしている。
そしてこれらの各モータはＶＴＲ用回路基板６Ａから供給される各モータ駆動回路電源と駆動制御信号とによって、最適な速度とトルクを発生するシステムが構築されている。
【０００７】
キャプスタンモータ３の駆動回路の電圧（Ｖｃｃ）は２８Ｖであり、ドラムモータ４及びローディングモータ５の駆動回路の電圧（Ｖｃｃ）はそれぞれ１２Ｖである。
キャプスタンモータ３にはキャプスタンモータの駆動回路２３を有する回路基板１７Ａが搭載されているが、ドラムモータ４とローディングモータ５の駆動回路は、キャプスタンプリント回路基板１７Ａとは分離されているＶＴＲデッキ用（信号）回路基板６Ａに組み込まれている。
【０００８】
そして、各モータの駆動回路電源及びそのモータの制御信号は、ＶＴＲデッキ用信号回路基板６Ａから出力されている。
各接続リード線の本数は、それぞれの制御信号リード線を含め、キャプスタンモータ３とＶＴＲデッキ用信号回路基板６Ａとの間は８本、ドラムモータ４とＶＴＲデッキ用信号回路基板６Ａとの間は７本、そしてローディングモータ５とＶＴＲデッキ用信号回路基板６Ａとの間は２本となっている。
【０００９】
【発明が解決しようとする課題】
図６において、キャプスタンモータ３Ａの駆動回路はキャプスタンモータ３Ａのプリント回路基板１７Ａに組み込まれたキャプスタン駆動ＩＣ（２３）とその他の関連する電子部品とで構成されている。
ドラムモータ４とローディングモータ５の各モータ駆動回路はそれぞれ別の箇所のＶＴＲデッキ用信号回路基板６Ａに設けられてある。
このため、図６のＶＴＲデッキ用信号回路基板６Ａには、ＶＴＲ信号レベルより高いモータ駆動電流がリップルを含んで流れるので、回路パターンが数Ｖ前後の低いＶＴＲ信号系の回路及びそのパターン２９に隣接して、モータ駆動回路の電流が流れる回路及びその回路パターン３０が近接配置されていると、ＶＴＲ用信号系回路及びそのパターン２９に影響を与え、ビデオの記録再生信号に悪影響を及ぼすという課題がある。
【００１０】
また、従来はキャプスタンモータ駆動回路と、ドラムモータ駆動回路と、ローディングモータ駆動回路とを別々に集積回路（ＩＣ）化していたので、ＩＣ３個分の単価と実装組立工数が別々に必要となり、トータルコストが高くなるという課題がある。
【００１１】
本発明は上記課題に鑑みてなされたものであり、特に、キャプスタンモータと一体化された回路基板は、ＶＴＲ用キャプスタンモータに供給するモータ駆動電流を生成するキャプスタンモータ駆動回路と、ＶＴＲ用ドラムモータに供給するモータ駆動電流を生成するドラムモータ駆動回路と、ＶＴＲ用ローディングモータに供給するモータ駆動電流を生成するローディングモータ駆動回路とを全て搭載し、前記各モータ駆動回路の電源は前記回路基板外から供給されるようにすることにより、
あるいは前記キャプスタンモータ駆動回路、前記ドラムモータ駆動回路、及び前記ローディングモータ駆動回路をまとめて集積化した集積回路を搭載することにより、ＶＴＲ回路基板のビデオ信号に悪影響を与えず、ＩＣの組立工数も少なく、コストも低減化可能なＶＴＲ用キャプスタンモータを提供することを目的とする。
【００１２】
【課題を解決するための手段】
上記課題を解決するために、請求項１に記載された発明は、ドラムモータ（４）とローディングモータ（５）とを備えたビデオテープレコーダに搭載されるビデオテープレコーダ用キャプスタンモータ（３）であって、
キャプスタン軸（２）及びこのキャプスタン軸（２）を立設して成るロータヨーク（１）を有するロータ（７）と、モータベース（１９）及び前記キャプスタン軸（２）を回転自在に支持する軸受（２２）を有するステータ（１５）とを備え、前記モータベース（１９）は、回路基板（１７）と金属板（１６）とが重ね合わされて成り、前記回路基板（１７）は、このビデオテープレコーダ用キャプスタンモータ（３）に供給するキャプスタンモータ駆動電流を生成する第１の駆動回路（２６）と、前記ドラムモータ（４）に供給するドラムモータ駆動電流を生成する第２の駆動回路（２７）と、前記ローディングモータ（５）に供給するローディングモータ駆動電流を生成する第３の駆動回路（２８）とを有すると共に、前記ドラムモータ駆動電流及び前記ローディングモータ駆動電流をそれぞれ外部に供給する第１の出力端子（３２）及び第２の出力端子（３３）を有することを特徴とするビデオテープレコーダ用キャプスタンモータ（３）を提供するものである。
また、請求項２に記載された発明は、請求項１に記載されたビデオテープレコーダ用キャプスタンモータにおいて、
前記第１の駆動回路（２６），前記第２の駆動回路（２７），及び前記第３の駆動回路（２８）をまとめて集積化した集積回路（２４）を搭載したことを特徴とするビデオテープレコーダ用キャプスタンモータ（３）を提供するものである。
【００１３】
【発明の実施の形態】
本発明のＶＴＲ用キャプスタンモータの実施の形態につき、好ましい一実施例により、以下に図と共に説明する。
図１は本発明のＶＴＲ用キャプスタンモータと一体化した回路基板、ＶＴＲデッキ用信号回路基板、及び各モータ間の接続関係を示した基板接続配置図である。
図２は本発明のキャプスタンモータ３の一実施例の半断面側面図を示したものである。
図３、及び図４は本発明のキャプスタンモータの一実施例の上面図及び底面図である。
図５は本発明の三モータ駆動集積回路（ＩＣ）２４のブロック構成を示した図である。
【００１４】
図１乃至図４においては、１はローターヨーク、２はキャプスタン軸、３はキャプスタン（Ｃ）モータ、４はドラム（Ｄ）モータ、５はローディング（Ｌ）モータ、６はＶＴＲデッキ用信号回路基板、７はロータ、８はコア、９はコイル、１０は駆動マグネット、１１はベアリングホルダ、１２はＦＧマグネット、１３はスラストキャップ、１４はオイルリフレクタ、１５はステータ、１６は金属板、１７はキャプスタンプリント回路基板、２０はホール素子、２１はＭＲ素子、２２は軸受、２４は三モータ駆動集積回路（ＩＣ）、そして２５はプーリをそれぞれ示す。
【００１５】
図２に示されるように、キャプスタンモータ３のステータ１５は、鉄又は珪素鋼板等で作製された金属板１６とキャプスタンプリント回路基板１７とを重ねたモータベース１９と、キャプスタン軸２を回転自在に保持するベアリングホルダ１１と、軸受２２と、この軸受２２とモータベース１９とに共締めされ、かつコイル９を巻回したコア８とから構成される。
【００１６】
一方、キャプスタンモータ３のロータ７は、キャプスタン軸２と、ロータヨーク１と、駆動マグネット１０と、ＦＧマグネット１２と、プーリ２５とから構成される。
キャプスタンプリント回路基板１７上には、コイル９に印加する電圧を駆動する電気部品である回転位置検出のホール素子２０と、ＭＲ素子２１とが実装されている。
ＭＲ素子２１はＦＧマグネット１２の外周部に着磁された着磁部から信号を読み取り、その読み取った信号でキャプスタンモータの回転制御を行う制御信号を発生するものである。
【００１７】
図５にされる三モータ駆動集積回路（ＩＣ）のブロック図において、キャプスタンモータ３と一体化された回路基板１７に搭載した三モータ駆動集積回路（ＩＣ）２４は、キャプスタンモータ駆動回路部２６、ドラムモータ駆動回路部２７、及びローディングモータ駆動回路部２８より構成されている。
【００１８】
三モータ駆動集積回路（ＩＣ）２４のブロック構成は、キャプスタンモータ駆動回路部２６とドラムモータ駆動回路部２７とローディングモータ駆動回路部２８とが一体に配置される構成となっている。
【００１９】
また、図１において三モータ駆動集積回路（ＩＣ）２４を搭載した回路基板１７の外周縁部にはドラムモータ駆動回路の出力端子３２及びローディングモータ駆動回路の出力端子３３が配置されている。
出力端子３２はドラムモータ４とリード線（ワイヤ）で接続され、出力端子３３はローディングモータ５とリード線で接続される。これらのリード線はＶＴＲデッキ用信号回路基板６を介して接続されるものではない。
また、キャプスタンモータ駆動回路部２６で生成されるモータ駆動電流は直接にキャプスタンモータ３に供給（接続）され、回路基板１７の外へリード線を出さなくて済む。
【００２０】
よって、ＶＴＲデッキ用信号回路基板６には、ＶＴＲ信号レベルより高いモータ駆動電流がリップルを含んで流れることはなく、回路パターンが数Ｖ前後の低いＶＴＲ信号系の回路及びそのパターンに隣接して、モータ駆動回路の電流が流れる回路及びその回路パターンが配置されることもないので、ＶＴＲ用信号系回路及びそのパターンに影響を与え、ビデオの記録再生信号に悪影響を及ぼすことはない。
【００２１】
キャプスタンプリント回路基板１７に搭載された三モータ駆動集積回路２４で発生した熱は、このキャプスタンプリント回路基板１７に重ねられ、放熱板の役割も果たす金属板１６を介して放熱される。
【００２２】
三モータ駆動集積回路（ＩＣ）２４は、放熱端子を除き、４８ピンで構成されている。キャプスタンモータ駆動回路部２６は、電源（Ｖｃｃ）の端子電圧は２８Ｖで、駆動制御信号電圧は２．５Ｖ〜３Ｖである。
また、ドラムモータ駆動回路部２７は、電源（Ｖｃｃ）の端子電圧は１２Ｖで、これはローディングモータ駆動回路部２８の電源（Ｖｃｃ）の端子電圧１２Ｖと共通の電圧にしてある。
【００２３】
これらの各モータ駆動回路部で使用される電源、駆動制御信号電圧はＶＴＲデッキ用信号回路基板６の電源部３４よりリード線を介して所定の電圧でキャプスタンプリント回路基板１７に供給される。
【００２４】
この三モータ駆動集積回路（ＩＣ）２４を使用することにより、ＶＴＲデッキ用信号回路基板６からの制御信号リード線を含めキャプスタンモータ３のキャプスタンプリント回路基板１７のドラムモータ駆動回路の出力端子３２を介してドラムモータ４へは７本、キャプスタンモータ３のキャプスタンプリント基板１７のローディングモータ駆動回路の出力端子３３を介してローディングモータ５へは２本、キャプスタンモータ３のキャプスタンプリント基板１７の入力端子３１にはＶＴＲデッキ用信号回路基板６から１２本でそれぞれ接続されている。
【００２５】
キャプスタンモータ３とＶＴＲデッキ用信号回路基板６との間は１２本のリード線となり、従来のものと比較して、
(１)ドラムモータとローディングモータ電源信号用、
(２)ドラム回転数信号用、
(３)ドラムモータコントロール信号用、
(４)ローディングモータコントロール信号用
以上４本のリード線が増える。
【００２６】
【発明の効果】
以上説明したように、請求項１に記載されたビデオテープレコーダ用キャプスタンモータの発明によると、各モータの駆動回路をキャプスタンモータ基板にまとめて搭載したので、ドラムモータ及びローディングモータの各駆動電流がＶＴＲ回路基板を経由して流れ他に悪影響を及ぼすことがなく、本発明のキャプスタンモータを搭載したＶＴＲの記録再生信号のＳ／Ｎが向上する。
【００２８】
また、請求項２に記載されたビデオテープレコーダ用キャプスタンモータの発明によると、モータの駆動電流がＶＴＲ回路基板を経由して流れることはなく、ＶＴＲの記録再生信号のＳ／Ｎが向上する効果が得られ、更に、キャプスタンモータ、ドラムモータ、ローディングモータの各モータの駆動回路をまとめて１個の集積回路（ＩＣ）で構成したので、組立工数もコストも少なくて済む。
【図面の簡単な説明】
【図１】本発明のＶＴＲ用キャプスタンモータと一体化したキャプスタンプリント回路基板、ＶＴＲデッキ用信号回路基板、及び各モータ間の接続関係を示した基板接続配置図である。
【図２】本発明のＶＴＲ用キャプスタンモータの一実施例の半断面側面図である。
【図３】本発明のＶＴＲ用キャプスタンモータの一実施例の上面図である。
【図４】本発明のＶＴＲ用キャプスタンモータの一実施例の底面図である。
【図５】本発明のＶＴＲ用キャプスタンモータと一体化して形成したキャプスタンプリント回路基板に搭載される三モータ駆動集積回路（ＩＣ）の一実施例のブロック構成を示した図である。
【図６】従来のＶＴＲ用キャプスタンモータが搭載されたキャプスタンプリント回路基板、ＶＴＲデッキ用信号回路基板、及び各モータ間の接続関係を示したブロック回路図である。
【図７】従来のＶＴＲ用キャプスタンモータの一例の上面図である。
【図８】従来のＶＴＲ用キャプスタンモータの一例の底面図である。
【符号の説明】
１  ロータヨーク
２  キャプスタン軸
３  キャプスタンモータ
４  ドラムモータ
５  ローディングモータ
６  ＶＴＲ（ビデオテープレコーダ）デッキ用信号回路基板
７  ロータ
８  コア
９  コイル
１０  駆動マグネット
１１  ベアリングホルダ
１２  ＦＧマグネット
１３  スラストキャップ
１４  オイルリフレクタ
１５  ステータ
１６  金属板
１７  キャプスタンプリント回路基板
１９  モータベース
２０  ホール素子
２１  ＭＲ素子
２２  軸受
２３  キャプスタンモータ駆動集積回路（ＩＣ）
２４  三モータ駆動集積回路（ＩＣ）
２５  プーリ
２６  キャプスンモータ駆動回路部
２７  ドラムモータ駆動回路部
２８  ローディングモータ駆動回路部
２９  ＶＴＲ信号系回路及びそのパターン
３０  モータ駆動回路及びそのパターン
３１  キャプスン基板の入力端子
３２  ドラムモータ駆動回路の出力端子
３３  ローディングモータ駆動回路の出力端子
３４  電源部
【図１】
0003685397.tif 000002
【図２】
0003685397.tif 000003
【図３】
0003685397.tif 000004
【図４】
0003685397.tif 000005
【図５】
0003685397.tif 000006
【図６】
0003685397.tif 000007
【図７】
0003685397.tif 000008
【図８】
0003685397.tif 000009